(57)【要約】【課題】異常動作時に大電流が流れる距離を小さくすることが可能な電源制御装置を提供する。【解決手段】この電源制御装置１は、通常動作時に制御部２２からの信号線３１を介した信号に起因してオン状態となるトランジスタ１３、１４および１５と、装置外部に電圧を出力する電源１２と、電源１２の電圧を出力するための出力線３３と、装置外部に電源１２の電圧を出力するＨＤＭＩ用ＩＣ２３と、信号線３１の制御部２２側の部分と、出力線３３のＨＤＭＩ用ＩＣ２３側の部分とを接続する接続配線２６と、電流の流れる方向を制御するダイオード２７とを備え、異常動作時に、制御部２２から所定の大きさよりも大きい電流が流れた際に、所定の大きさよりも大きい電流が、接続配線２６を介して出力線３３のＨＤＭＩ用ＩＣ２３側に流れるように構成されている。【選択図】図２
2011123576.tif 000002
【特許請求の範囲】
【請求項１】
制御部と、
前記制御部に接続される信号線と、
通常動作時に前記制御部からの前記信号線を介した信号に起因してオン状態となるトランジスタと、
前記トランジスタがオン状態となることに起因して装置外部に電圧を出力する第１電源と、
前記第１電源の電圧を出力するための出力線と、
前記出力線上に接続され、前記装置外部に前記第１電源の電圧を出力する出力部と、
前記信号線の前記制御部側の部分と、前記出力線の前記出力部側の部分とを接続する接続配線と、
前記接続配線上に設けられ、電流の流れる方向を制御する整流回路とを備え、
異常動作時に、前記制御部から所定の大きさよりも大きい電流が流れた際に、前記所定の大きさよりも大きい電流が、前記整流回路が設けられる前記接続配線を介して前記出力線の前記出力部側に流れるように構成されている、電源制御装置。
【請求項２】
前記制御部と前記出力部とが設けられる第１配線基板と、
前記第１配線基板と所定の間隔を隔てて配置され、前記第１電源と前記トランジスタとが設けられる第２配線基板とをさらに備え、
前記信号線と前記出力線とは、前記第１配線基板と前記第２配線基板との間を跨るように配置されており、前記接続配線と前記整流回路とは、前記第１配線基板上に設けられている、請求項１に記載の電源制御装置。
【請求項３】
前記整流回路は、ダイオードを含み、
前記ダイオードは、前記信号線側から前記出力線側に電流を流すように構成されている、請求項１または２に記載の電源制御装置。
【請求項４】
前記信号線の幅は、前記出力線の幅よりも小さい、請求項１〜３のいずれか１項に記載の電源制御装置。
【請求項５】
前記異常動作時に、前記出力部側が短絡することにより、前記制御部から前記所定の大きさよりも大きい電流が流れた際に、前記所定の大きさよりも大きい電流が、前記整流回路が設けられる前記接続配線を介して前記出力線の前記出力部側に流れるように構成されている、請求項１〜４のいずれか１項に記載の電源制御装置。
【請求項６】
前記第１電源の電圧とは異なる電圧を有し、装置内部の電源として用いられる第２電源をさらに備え、
前記トランジスタは、前記通常動作時に前記制御部からの前記信号線を介した信号によりオン状態となる第１トランジスタと、前記第２電源に接続され前記第１トランジスタがオン状態となることによりオン状態となる第２トランジスタと、前記第１電源に接続され、前記第２トランジスタがオン状態となることにより出力される前記第２電源の電流によりオン状態となる第３トランジスタとを含み、
前記第１トランジスタがオン状態となることにより、前記第２トランジスタがオン状態となり、前記第２電源から電流が出力され、前記第２電源からの電流により前記第３トランジスタがオン状態となり、前記第１電源の電圧が前記装置外部に出力されるように構成されている、請求項１〜５のいずれか１項に記載の電源制御装置。
【請求項７】
前記出力部は、前記第１電源の前記装置外部への出力を制御するための出力制御部と、前記装置外部に配置される装置を接続するための接続コネクタとを含む、請求項１〜６のいずれか１項に記載の電源制御装置。
【発明の詳細な説明】
【技術分野】
【０００１】
この発明は、電源制御装置に関し、特に、装置外部に出力する電源を備える電源制御装置に関する。
【背景技術】
【０００２】
従来、装置外部に出力する電源を備える電源制御装置が知られている（たとえば、特許文献１参照）。
【０００３】
上記特許文献１には、装置外部に電圧を出力するＨＤＭＩ用電源と、ＨＤＭＩ用電源からの電圧が出力される電源ラインと、ＨＤＭＩ用電源と電源ラインとの間に設けられ、マイクロプロセッサから出力されるＨレベルの信号によってオン状態となるトランジスタとを備える電源制御装置が開示されている。上記特許文献１に開示されている電源制御装置では、マイクロプロセッサは、ＨＤＭＩ用電源から出力される電圧を検出するように構成されている。そして、たとえば電源ライン上で短絡（ショート）が起きた場合などの異常動作時では、電源ラインの電圧が所定の電圧値よりも低下する場合がある。つまり、異常動作時には、ＨＤＭＩ用電源と電源ラインとの電位差が大きくなるので、ＨＤＭＩ用電源から電源ラインに流れる電流が通常動作時よりも大きくなる場合がある。そこで、上記特許文献１に開示されている電源制御装置では、異常動作時に電源ラインの電圧値が所定の電圧値よりも小さくなる場合には、マイクロプロセッサは、Ｌレベルの信号を出力することにより、ＨＤＭＩ用電源と電源ラインとの間に設けられるトランジスタをオフ状態にして、ＨＤＭＩ用電源から電源ラインに電圧を供給するのを停止するように構成されている。
【先行技術文献】
【特許文献】
【０００４】
【特許文献１】特開２００８−３０５３１４号公報
【発明の概要】
【発明が解決しようとする課題】
【０００５】
しかしながら、上記特許文献１に記載の電源制御装置では、異常動作時にマイクロプロセッサが電圧の低下を検知して、ＨＤＭＩ用電源と電源ラインとの間に設けられるトランジスタをオフ状態にするまでの間に、通常動作時に流れる電流よりも大きな電流（大電流）が、ＨＤＭＩ用電源から、トランジスタを介して、電源ラインの短絡が起きた部分までの比較的長い距離を流れるという問題点がある。
【０００６】
この発明は、上記のような課題を解決するためになされたものであり、この発明の１つの目的は、異常動作時に大電流が流れる距離を小さくすることが可能な電源制御装置を提供することである。
【課題を解決するための手段および発明の効果】
【０００７】
この発明の一の局面による電源制御装置は、制御部と、制御部に接続される信号線と、通常動作時に制御部からの信号線を介した信号に起因してオン状態となるトランジスタと、トランジスタがオン状態となることに起因して装置外部に電圧を出力する第１電源と、第１電源の電圧を出力するための出力線と、出力線上に接続され、装置外部に第１電源の電圧を出力する出力部と、信号線の制御部側の部分と、出力線の出力部側の部分とを接続する接続配線と、接続配線上に設けられ、電流の流れる方向を制御する整流回路とを備え、異常動作時に、制御部から所定の大きさよりも大きい電流が流れた際に、所定の大きさよりも大きい電流が、整流回路が設けられる接続配線を介して出力線の出力部側に流れるように構成されている。
【０００８】
この一の局面による電源制御装置では、上記のように、接続配線が、信号線の制御部側の部分と出力線の出力部側の部分とを接続することによって、接続配線が信号線のトランジスタ側の部分と出力線の第１電源側の部分とを接続するように構成して、所定の大きさよりも大きい電流が、制御部から信号線のトランジスタ近傍の部分まで流れ、接続配線を介した後、出力線の第１電源近傍の部分から出力部側まで流れる場合と異なり、所定の大きさよりも大きい電流（大電流）は、制御部から信号線の制御部側までの比較的短い部分と、接続配線と、出力線の接続配線との接続点から出力部側までの比較的短い部分とを流れるので、異常動作時に大電流が流れる距離を小さくすることができる。
【０００９】
上記一の局面による電源制御装置において、好ましくは、制御部と出力部とが設けられる第１配線基板と、第１配線基板と所定の間隔を隔てて配置され、第１電源とトランジスタとが設けられる第２配線基板とをさらに備え、信号線と出力線とは、第１配線基板と第２配線基板との間を跨るように配置されており、接続配線と整流回路とは、第１配線基板上に設けられている。このように構成すれば、接続配線と整流回路とが第２配線基板上に設けられて、異常動作時に所定の大きさよりも大きい電流（大電流）が、第１配線基板（制御部）、第２配線基板（接続配線、整流回路）、および、第１配線基板（出力部）を介して流れる場合と異なり、大電流が流れる経路（信号線の制御部側の部分、接続配線、整流回路および出力線の出力部側の部分）が第１配線基板上のみに設けられる分、異常動作時に大電流が流れる距離をより小さくすることができる。
【００１０】
上記一の局面による電源制御装置において、好ましくは、整流回路は、ダイオードを含み、ダイオードは、信号線側から出力線側に電流を流すように構成されている。このように構成すれば、容易に、信号線側から出力線側に所定の大きさよりも大きい電流を流すことができるとともに、出力線側から信号線側に電流が逆流するのを抑制することができる。
【００１１】
上記一の局面による電源制御装置において、好ましくは、信号線の幅は、出力線の幅よりも小さい。このように構成すれば、信号線の幅を小さくできる分、装置を小さくすることができる。なお、接続配線が信号線のトランジスタ側の部分と出力線の第１電源側の部分とを接続する構成では、所定の大きさよりも大きい電流が、信号線の制御部側からトランジスタ近傍まで流れるため、信号線の幅を大電流に耐えるように大きくする必要がある。このため、装置が大きくなる。これに対して、本発明では、所定の大きさよりも大きい電流は、制御部から信号線の制御部側までの比較的短い距離を流れるので、信号線の幅を大きくする必要がない。これにより、装置の小型化を図ることができる。
【００１２】
上記一の局面による電源制御装置において、好ましくは、異常動作時に、出力部側が短絡することにより、制御部から所定の大きさよりも大きい電流が流れた際に、所定の大きさよりも大きい電流が、整流回路が設けられる接続配線を介して出力線の出力部側に流れるように構成されている。このように構成すれば、短絡によって出力部側が接地状態になることにより、容易に、所定の大きさよりも大きい電流を、制御部から信号線、接続配線、および整流回路を介して、出力線の出力部側に流すことができる。
【００１３】
上記一の局面による電源制御装置において、好ましくは、第１電源の電圧とは異なる電圧を有し、装置内部の電源として用いられる第２電源をさらに備え、トランジスタは、通常動作時に制御部からの信号線を介した信号によりオン状態となる第１トランジスタと、第２電源に接続され第１トランジスタがオン状態となることによりオン状態となる第２トランジスタと、第１電源に接続され、第２トランジスタがオン状態となることにより出力される第２電源の電流によりオン状態となる第３トランジスタとを含み、第１トランジスタがオン状態となることにより、第２トランジスタがオン状態となり、第２電源から電流が出力され、第２電源からの電流により第３トランジスタがオン状態となり、第１電源の電圧が装置外部に出力されるように構成されている。このように構成すれば、容易に、装置内部の電源として用いられる第２電源を出力するとともに、装置外部で用いられる第１電源を出力することができる。
【００１４】
上記一の局面による電源制御装置において、好ましくは、出力部は、第１電源の装置外部への出力を制御するための出力制御部と、装置外部に配置される装置を接続するための接続コネクタとを含む。このように構成すれば、容易に、出力制御部と接続コネクタとを介して、第１電源から装置外部へ電圧を出力することができる。
【図面の簡単な説明】
【００１５】
【図１】本発明の一実施形態による電源制御装置の全体構成を示したブロック図である。
【図２】本発明の一実施形態による電源制御装置の回路図である。
【図３】比較例による電源制御装置の回路図である。
【発明を実施するための形態】
【００１６】
以下、本発明を具体化した実施形態を図面に基づいて説明する。
【００１７】
図１および図２を参照して、本発明の一実施形態による電源制御装置１と、電源制御装置１が設けられるＤＶＤ機器１００について説明する。
【００１８】
本実施形態によるＤＶＤ機器１００では、図１に示すように、電源制御装置１と、ローダ２とを含んでいる。ローダ２には、図示しない光ディスクを回転させるためのモータや、光ディスクから情報を読み出すための光ピックアップなどが含まれている。
【００１９】
また、電源制御装置１は、ＡＶ（Ａｕｄｉｏ  Ｖｉｓｕａｌ）基板３と、メイン基板４と、ＨＤＭＩコネクタ５とを含んでいる。なお、図２に示すように、ＡＶ基板３とメイン基板４とは、約５ｃｍ〜約１５ｃｍの間隔Ｄ１を隔てて配置されている。また、ＡＶ基板３とメイン基板４との間の間隔Ｄ１は、後述する信号線３１と出力線３３との間の間隔Ｄ２（約１ｃｍ〜約３ｃｍ）よりも大きい。また、図１に示すように、ＨＤＭＩコネクタ５には、ＨＤＭＩケーブル６によって液晶テレビジョン（ＴＶ）７が接続されている。また、ＤＶＤ機器１００は、プラグ８を含んでおり、図示しないコンセントにプラグ８を差し込むことにより、電力が供給されるように構成されている。なお、ＡＶ基板３およびメイン基板４は、それぞれ、本発明の「第２配線基板」および「第１配線基板」の一例である。
【００２０】
図２に示すように、電源制御装置１のＡＶ基板３には、約１２Ｖの電圧を出力する電源１１と、約３．３Ｖの電圧を出力する電源１２とが設けられている。また、ＡＶ基板３には、ＮＰＮ型のバイポーラトランジスタからなるトランジスタ１３と、ＰＮＰ型のバイポーラトランジスタからなるトランジスタ１４と、ＮＰＮ型のバイポーラトランジスタからなるトランジスタ１５とが設けられている。なお、電源１１および１２は、それぞれ、本発明の「第２電源」および「第１電源」の一例である。また、トランジスタ１３および１４は、それぞれ、本発明の「第１トランジスタ」および「第２トランジスタ」の一例である。また、トランジスタ１５は、本発明の「第３トランジスタ」の一例である。
【００２１】
また、電源制御装置１のメイン基板４には、ドライバＩＣ２１と、制御部２２と、ＨＤＭＩ用ＩＣ２３とが設けられている。ドライバＩＣ２１は、ローダ２に接続されている。また、ＨＤＭＩコネクタ５は、図２に示すように、メイン基板４の外部に設けられていてもよいし、メイン基板４上に設けられていてもよい。なお、ＨＤＭＩ用ＩＣ２３は、本発明の「出力部」および「出力制御部」の一例である。また、ＨＤＭＩコネクタ５は、本発明の「出力部」および「接続コネクタ」の一例である。
【００２２】
また、メイン基板４に設けられるトランジスタ１３のベースＢと、制御部２２とは、信号線３１により接続されている。そして、トランジスタ１３のベースＢには、制御部２２から信号線３１を介して信号が入力されるように構成されている。なお、本実施形態では、信号線３１は、後述する出力線３２および３３よりも小さい約０．２５ｍｍの幅を有する。また、信号線３１は、ＡＶ基板３とメイン基板４とを跨るように配置されている。また、トランジスタ１３のエミッタＥは、接地されているとともに、コレクタＣは、抵抗Ｒ１を介して、トランジスタ１４のベースＢに接続されている。
【００２３】
また、トランジスタ１３は、トランジスタ１３のベースＢ側に設けられる抵抗Ｒ２と、ベースＢとエミッタＥとの間に設けられる抵抗Ｒ３とを含んでいる。なお、抵抗Ｒ２は、トランジスタ１３のベースＢに入力されるベース電流の大きさを調整する機能を有する。また、信号線３１からの電位の供給が遮断された際（Ｈレベルの電位からＬレベルの電位に変化する際）、トランジスタ１３のベースＢに入力する信号が不定（ＨレベルとＬレベルとの中間）になる。このとき、信号線３１が抵抗Ｒ３を介してＧＮＤに接続（プルダウン）されていることにより、信号線３１の電位は、ＧＮＤ（Ｌレベル）に固定されるように構成されている。
【００２４】
また、トランジスタ１３のベースＢと、制御部２２とを接続する信号線３１には、約３．３Ｖの電圧を有する電源１６が接続されているとともに、信号線３１は、抵抗Ｒ４を介して接地されている。これによっても、信号線３１からの電位の供給が遮断された際、信号線３１の電位は、ＧＮＤに固定されるように構成されている。
【００２５】
トランジスタ１４のベースＢは、抵抗Ｒ１を介して、トランジスタ１３のコレクタＣに接続されている。なお、抵抗Ｒ１は、トランジスタ１４のベースＢに入力されるベース電流の大きさを調整する機能を有する。トランジスタ１４のエミッタＥは、電源１１に接続されているとともに、コレクタＣは、出力線３２によりドライバＩＣ２１に接続されている。なお、出力線３２は、信号線３１の幅よりも大きい約１．０ｍｍ〜約１．５ｍｍの幅を有する。また、トランジスタ１４のベースＢとエミッタＥとの間には、バイアスとして機能する抵抗Ｒ５が設けられている。
【００２６】
トランジスタ１５のベースＢは、抵抗Ｒ６を介してトランジスタ１４のコレクタＣ（出力線３２）に接続されている。なお、抵抗Ｒ６は、トランジスタ１５のベースＢに入力されるベース電流の大きさを調整する機能を有する。また、トランジスタ１５のコレクタＣは、電源１２に接続されているとともに、エミッタＥは、出力線３３によりＨＤＭＩ用ＩＣ２３に接続されている。なお、出力線３３は、信号線３１の幅よりも大きい約１．０ｍｍ〜約１．５ｍｍの幅を有する。また、出力線３３は、ＡＶ基板３とメイン基板４とを跨るように配置されている。また、出力線３３は、ＡＶ基板３とメイン基板４とを跨るように配置されている。
【００２７】
また、出力線３３には、電解コンデンサ２４の一方電極と、バイパスコンデンサ（パスコン）２５の一方電極とが接続されている。また、電解コンデンサ２４の他方電極と、バイパスコンデンサ２５の他方電極とは、接地されている。なお、電解コンデンサ２４は、交流を直流に整流する際に残存するリップルを除去するための平滑コンデンサとして機能する。これにより、ＨＤＭＩ用ＩＣ２３が誤動作するのを抑制することが可能となる。バイパスコンデンサ２５は、出力線３３に紛れ込むノイズをＧＮＤ（接地）側にバイパスさせる機能を有する。
【００２８】
ここで、本実施形態では、信号線３１の制御部２２側の部分と、出力線３３のＨＤＭＩ用ＩＣ２３側の部分とを接続するように、接続配線２６が設けられている。また、接続配線２６上には、ダイオード２７が１つ設けられている。なお、ダイオード２７の入力側は、信号線３１側に接続されるとともに、出力側は、出力線３３側に接続されている。また、接続配線２６とダイオード２７とは、制御部２２およびＨＤＭＩ用ＩＣ２３が設けられるメイン基板４上に設けられている。また、接続配線２６（ダイオード２７）は、異常動作時に、制御部２２から所定の大きさよりも大きい電流（大電流）が流れた際に、大電流が、ダイオード２７が設けられる接続配線２６を介して出力線３３に流れるように構成されている。なお、ダイオード２７は、本発明の「整流回路」の一例である。また、異常動作時とは、たとえば電解コンデンサ２４、または、バイパスコンデンサ２５が短絡（ショート）して、出力線３３の電位がＧＮＤ（接地）になる場合である。
【００２９】
次に、図２を参照して、本実施形態による電源制御装置１の通常時の動作について説明する。
【００３０】
まず、制御部２２からＨレベルの信号が、信号線３１を介してトランジスタ１３のベースＢに伝達される。これにより、トランジスタ１３のベースＢにベース電流が流れて、トランジスタ１３がオン状態となる。その結果、トランジスタ１４のベースＢからベース電流が流れて、トランジスタ１４がオン状態となる。
【００３１】
トランジスタ１４がオン状態となることにより、電源１１から約１２Ｖの電圧が、出力線３２を介してドライバＩＣ２１に供給される。また、ドライバＩＣ２１からの制御信号により、ローダ２が動作する。
【００３２】
また、電源１１の約１２Ｖの電圧が、出力線３２に供給されることにより、トランジスタ１５のベースＢにベース電流が流れて、トランジスタ１５がオン状態となる。これにより、電源１２から約３．３Ｖの電圧が、出力線３３を介してＨＤＭＩ用ＩＣ２３に供給されるとともに、ＨＤＭＩコネクタ５を介して液晶テレビジョン７に供給される。
【００３３】
次に、図２を参照して、本実施形態による電源制御装置１の異常時の動作について説明する。
【００３４】
たとえば、電解コンデンサ２４、または、バイパスコンデンサ２５が短絡（ショート）すると仮定する。これにより、出力線３３の電位がＧＮＤ（接地）になる。そして、出力線３３の電位が通常動作時よりも低く（ＧＮＤ）なることにより、制御部２２から通常動作時よりも大きな電流（大電流）が流れ出す。この大電流は、信号線３１の制御部２２側の部分、ダイオード２７が設けられる接続配線２６、出力線３３、および、電解コンデンサ２４、または、バイパスコンデンサ２５の他方電極側（経路Ａ）を介して、ＧＮＤ（接地）に流れ出す。これにより、大電流がＧＮＤ（接地）に流れ出されるので、制御部２２の発熱や、大電流の流れ込みによるトランジスタ１３の発熱が抑制される。
【００３５】
また、制御部２２からの電流が接続配線２６に流れることにより、制御部２２からトランジスタ１３のベースＢに伝達される信号は、Ｌレベルになる。これにより、トランジスタ１３がオフ状態となるとともに、トランジスタ１４もオフ状態となる。その結果、電源１１からのトランジスタ１５のベースＢへの電流の供給がなくなり、トランジスタ１５がオフ状態となる。これにより、電源１２から装置外部への電圧の供給が、停止される。
【００３６】
なお、図３に示す比較例による電源制御装置１ａでは、信号線３１ａのトランジスタ１３側の部分と、出力線３３のトランジスタ１５側の部分とを接続するように、接続配線２６ａが設けられている。また、接続配線２６ａ上には、ダイオード２７ａが設けられている。そして、接続配線２６ａとダイオード２７ａとは、トランジスタ１３およびトランジスタ１５が設けられるＡＶ基板３上に設けられている。そして、電解コンデンサ２４、または、バイパスコンデンサ２５が短絡（ショート）した異常動作時には、制御部２２から流れ出す大電流は、信号線３１ａのトランジスタ１３近傍までの部分、ダイオード２７ａが設けられる接続配線２６ａ、出力線３３のトランジスタ１５近傍から電解コンデンサ２４（バイパスコンデンサ２５）までの部分、および、電解コンデンサ２４（バイパスコンデンサ２５）の他方電極側（経路Ｂ）を介して、ＧＮＤ（接地）に流れ出す。なお、この比較例による大電流が流れる経路Ｂは、図２に示す本実施形態の大電流が流れる経路Ａよりも電流の流れる距離が大きくなる。このため、大電流が流れる経路の距離が大きくなる分、制御部２２が発熱している時間が長くなってしまう。また、比較例の信号線３１ａでは、信号線３１ａのトランジスタ１３近傍の部分まで大電流が流れるため、信号線３１ａの幅は、図２に示す本実施形態の信号線３１の幅よりも大きく形成する必要がある。このため、比較例（図３）では、本実施形態（図２）と比べて、装置が大きくなる。
【００３７】
本実施形態では、上記のように、接続配線２６を、信号線３１の制御部２２側の部分と出力線３３のＨＤＭＩ用ＩＣ２３側の部分とを接続するように構成した。これにより、比較例のように、接続配線２６ａが信号線３１ａのトランジスタ１３側の部分と出力線３３の電源１２側の部分とを接続するように構成して、大電流が、制御部２２から信号線３１ａのトランジスタ１３近傍の部分まで流れて、接続配線２６ａを介した後、出力線３３の電源１２近傍の部分からＨＤＭＩ用ＩＣ２３側まで流れる場合と異なり、大電流は、制御部２２から信号線３１の制御部２２側までの比較的短い部分と、接続配線２６と、出力線３３の接続配線２６との接続点からＨＤＭＩ用ＩＣ２３側までの比較的短い部分とを流れるので、異常動作時に大電流が流れる距離を小さくすることができる。
【００３８】
また、本実施形態では、上記のように、信号線３１と出力線３３とを、メイン基板４とＡＶ基板３との間を跨るように配置して、接続配線２６とダイオード２７とは、メイン基板４上に設けた。これにより、比較例のように、接続配線２６ａとダイオード２７ａとをＡＶ基板３上に設けて、異常動作時に所定の大きさよりも大きい電流（大電流）が、メイン基板４（制御部２２）、ＡＶ基板３（接続配線２６ａ、ダイオード２７ａ）、および、メイン基板４（電解コンデンサ２４、バイパスコンデンサ２５）を介して流れる場合と異なり、大電流が流れる経路Ａ（信号線３１の制御部２２側の部分、接続配線２６、ダイオード２７および出力線３３のＨＤＭＩ用ＩＣ２３側の部分）がメイン基板４上のみに設けられる分、異常動作時に大電流が流れる距離をより小さくすることができる。
【００３９】
また、本実施形態では、上記のように、ダイオード２７を、信号線３１側から出力線３３側に電流を流すように構成した。これにより、容易に、信号線３１側から出力線３３側に所定の大きさよりも大きい電流を流すことができるとともに、出力線３３側から信号線３１側に電流が逆流するのを抑制することができる。
【００４０】
また、本実施形態では、上記のように、信号線３１の幅を、出力線３３の幅よりも小さくした。これにより、信号線３１の幅を小さくできる分、装置を小さくすることができる。なお、比較例のように、接続配線２６ａが信号線３１ａのトランジスタ１３側の部分と出力線３３の電源１２側の部分とを接続する構成では、所定の大きさよりも大きい電流が、信号線３１ａの制御部２２側からトランジスタ１３近傍まで流れるため、信号線３１ａの幅を大電流に耐えるように大きくする必要がある。このため、装置が大きくなる。これに対して、本実施形態では、所定の大きさよりも大きい電流は、制御部２２から信号線３１の制御部２２側までの比較的短い距離を流れるので、信号線３１の幅を大きくする必要がない。これにより、装置の小型化を図ることができる。
【００４１】
また、本実施形態では、上記のように、異常動作時に、ＨＤＭＩ用ＩＣ２３側（電解コンデンサ２４、バイパスコンデンサ２５）が短絡することにより、制御部２２から所定の大きさよりも大きい電流が流れた際に、所定の大きさよりも大きい電流が、ダイオード２７が設けられる接続配線２６を介して出力線３３のＨＤＭＩ用ＩＣ２３側に流れるように構成した。これにより、短絡によってＨＤＭＩ用ＩＣ２３側が接地状態になることにより、容易に、所定の大きさよりも大きい電流を、制御部２２から信号線３１、接続配線２６、およびダイオード２７を介して、出力線３３のＨＤＭＩ用ＩＣ２３側に流すことができる。
【００４２】
また、本実施形態では、上記のように、トランジスタ１３がオン状態となることにより、トランジスタ１４がオン状態となり、電源１１から電流が出力され、電源１１からの電流によりトランジスタ１５がオン状態となり、電源１２の電圧が装置外部に出力されるように構成した。これにより、容易に、装置内部の電源として用いられる電源１１を出力するとともに、装置外部で用いられる電源１２を出力することができる。
【００４３】
また、本実施形態では、上記のように、電源１２の装置外部への出力を制御するためのＨＤＭＩ用ＩＣ２３と、装置外部に配置される装置を接続するためのＨＤＭＩコネクタ５とを含むことにより、容易に、ＨＤＭＩ用ＩＣ２３とＨＤＭＩコネクタ５とを介して、電源１２から装置外部へ電圧を出力することができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記実施形態では、本発明の電源制御装置が、ＤＶＤ機器に設けられる例を示したが、本発明はこれに限らない。本発明の電源制御装置を、ブルーレイ機器など、電源制御装置が設けられる電子機器に適用可能である。
【００４６】
また、上記実施形態では、信号線と出力線とを接続する接続配線上に１つのダイオードを配置する例を示したが、本発明はこれに限らない。たとえば、接続配線上に２つ以上のダイオードからなる整流回路を配置してもよいし、ダイオード以外の素子を含む整流回路を配置してもよい。
【００４７】
また、上記実施形態では、信号線が約０．２５ｍｍの幅を有し、出力線が約１．０ｍｍ〜約１．５ｍｍの幅を有する例を示したが、本発明はこれに限らない。本発明では、信号線の幅が、出力線の幅よりも小さくなっていればよい。
【００４８】
また、上記実施形態では、短絡時に、制御部から流れた所定の大きさよりも大きい電流が、ダイオードが設けられる接続配線を介して出力線に流れるように構成されている例を示したが、本発明はこれに限らない。本発明では、短絡以外の異常動作時にも、制御部から出力線に、所定の大きさよりも大きい電流を流すことができる。
【００４９】
また、上記実施形態では、ＨＤＭＩ用ＩＣおよびＨＤＭＩコネクタを介して、電源の電圧が装置外部に供給される例を示したが、本発明はこれに限らない。たとえば、ＨＤＭＩ用ＩＣを介さずに電源の電圧を装置外部に供給してもよい。また、ＨＤＭＩ以外の配線により、電源の電圧を装置外部に供給してもよい。
【００５０】
また、上記実施形態では、電解コンデンサまたはバイパスコンデンサが短絡することにより、出力線の電位がＧＮＤになる例を示したが、本発明はこれに限らない。本発明では、出力線に接続される電解コンデンサまたはバイパスコンデンサ以外の部分が短絡する場合でも、大電流が流れる距離を小さくすることができる。
【００５１】
また、上記実施形態では、電源制御装置に３つのトランジスタ１３、１４および１５が設けられる例を示したが、本発明はこれに限らない。たとえば、本発明では、電源制御装置に２つ以下のトランジスタを設けてもよいし、４つ以上のトランジスタを設けてもよい。
【符号の説明】
【００５２】
３  ＡＶ基板（第２配線基板）
４  メイン基板（第１配線基板）
５  ＨＤＭＩコネクタ(出力部、接続コネクタ）
１１  電源（第２電源）
１２  電源（第１電源）
１３  トランジスタ（第１トランジスタ）
１４  トランジスタ（第２トランジスタ）
１５  トランジスタ（第３トランジスタ）
２２  制御部
２３  ＨＤＭＩ用ＩＣ（出力部、出力制御部）
２６  接続配線
２７  ダイオード（整流回路）
３１  信号線
３３  出力線
【図１】
2011123576.tif 000003
【図２】
2011123576.tif 000004
【図３】
2011123576.tif 000005